(57)【要約】  本発明は、調理器具の制御方法、制御装置、記憶媒体、及び調理器具を開示する。前記方法は、調理器具が第１の特定調理段階に入ったと判定するステップと、調理器具のＲ部を第１の所定デューティサイクルで第１の時間だけ加熱するステップと、調理器具の底部を第１の所定デューティサイクルで第１の時間以下の第２の時間だけ加熱し、底部の温度を第１の所定温度範囲内に維持するステップと、を含む。本発明は、関連技術における調理器具を用いて調理する食品の品質不良によるユーザーエクスペリエンスの低下という技術的課題を解決する。【選択図】図１
2021522985.tif 000002
【特許請求の範囲】
【請求項１】
調理器具の制御方法であって、
調理器具が第１の特定調理段階に入ったと判定するステップと、
前記調理器具のＲ部を第１の所定デューティサイクルで第１の時間だけ加熱するステップと、
前記調理器具の底部を前記第１の所定デューティサイクルで前記第１の時間以下の第２の時間だけ加熱するステップと、
前記底部の温度を第１の所定温度範囲内に維持するステップと、を含むことを特徴とする調理器具の制御方法。
【請求項２】
調理器具が第１の特定調理段階に入ったと判定する前に、
前記調理器具が、第２の特定調理段階に入ったと判定するステップをさらに含み、前記第２の特定調理段階では、前記調理器具のＲ部と前記調理器具の底部を第１の所定閾値以上の第２の所定デューティサイクルで加熱することを特徴とする、請求項１に記載の方法。
【請求項３】
前記調理器具のＲ部と前記調理器具の底部を第２の所定デューティサイクルで加熱するステップは、
前記Ｒ部と前記底部を前記第２の所定デューティサイクルで間欠的に加熱するステップを含み、前記間欠的に加熱する過程では、２回の加熱周期の時間間隔が第２の所定閾値以下であることを特徴とする、請求項２に記載の方法。
【請求項４】
前記調理器具が第１の特定調理段階に入ったと判定するステップは、
前記調理器具が前記第２の特定調理段階に入った後に、前記調理器具の底部の温度が第３の所定閾値よりも大きいことが検出された場合、前記調理器具が前記第１の特定調理段階に入ったと判定するステップを含むことを特徴とする、請求項２に記載の方法。
【請求項５】
前記第１の所定温度範囲は１３５℃〜１６５℃であることを特徴とする、請求項１に記載の方法。
【請求項６】
前記第１の時間及び／又は前記第２の時間の値は１０分〜３０分の範囲内であることを特徴とする、請求項１に記載の方法。
【請求項７】
前記第２の所定閾値は２秒であることを特徴とすることを特徴とする、請求項２に記載の方法。
【請求項８】
前記調理器具が第２の特定調理段階に入ったと判定するステップは、
前記調理器具が第３の特定調理段階に入った後に、前記調理器具の底部の温度が第４の所定閾値以上であることが検出された場合、前記調理器具が前記第２の特定調理段階に入ったと判定するステップを含み、前記第３の特定調理段階では、前記調理器具のＲ部と前記調理器具の底部を第３の所定デューティサイクルで加熱し、前記調理器具の底部の温度が前記第４の所定閾値未満であることを特徴とすることを特徴とする、請求項２に記載の方法。
【請求項９】
前記調理器具が前記第２の特定調理段階に入ったと判定する前に、
前記調理器具が第４の特定調理段階に入った後に、前記調理器具の底部の温度が第５の所定閾値以上であり、かつ前記調理器具の頂部の温度が第６の所定閾値以上であることが検出された場合、前記調理器具が前記第３の特定調理段階に入ったと判定するステップをさらに含み、前記第４の特定調理段階では、前記調理器具の底部を第４の所定デューティサイクルで加熱し、前記調理器具の底部の温度が前記第５の所定閾値未満であるか、又は前記調理器具の頂部の温度が前記第６の所定閾値未満であることを特徴とする、請求項８に記載の方法。
【請求項１０】
調理器具の制御装置であって、
調理器具が第１の特定調理段階に入ったと判定するように構成されている判定モジュールと、
前記調理器具のＲ部を第１の所定デューティサイクルで第１の時間だけ加熱し、前記調理器具の底部を前記第１の所定デューティサイクルで第１の時間以下の第２の時間だけ加熱し、前記底部の温度を第１の所定温度範囲内に維持するように構成されている加熱モジュールと、を備えることを特徴とする調理器具の制御装置。
【請求項１１】
前記判定モジュールは、さらに、前記調理器具が第２の特定調理段階に入ったと判定するように構成されており、前記第２の特定調理段階では、前記加熱モジュールは、前記調理器具のＲ部と前記調理器具の底部を第１の所定閾値以上の第２の所定デューティサイクルで加熱するように構成されていることを特徴とする、請求項１０に記載の装置。
【請求項１２】
前記加熱モジュールは、さらに、前記Ｒ部と前記底部を前記第２の所定デューティサイクルで間欠的に加熱するように構成されており、前記間欠的に加熱する過程では、２回の加熱周期の時間間隔が第２の所定閾値以下であることを特徴とする、請求項１１に記載の装置。
【請求項１３】
前記判定モジュールは、さらに、前記調理器具が前記第２の特定調理段階に入った後に、前記調理器具の底部の温度が第３の所定閾値よりも大きいことが検出された場合、前記調理器具が前記第１の特定調理段階に入ったと判定するように構成されていることを特徴とする、請求項１１に記載の装置。
【請求項１４】
コンピュータプログラムが記憶された記憶媒体であって、前記コンピュータプログラムは、実行されると、前記請求項１〜９のいずれか１項に記載の方法を実行するように構成されていることを特徴とする記憶媒体。
【請求項１５】
コンピュータプログラムが記憶されたメモリと、前記コンピュータプログラムを実行することで請求項１〜９のいずれか１項に記載の方法を実行するように構成されているプロセッサと、を備えることを特徴とする調理器具。
【発明の詳細な説明】
【技術分野】
【０００１】
本発明は、制御の分野に関し、具体的には、調理器具の制御方法、制御装置、記憶媒体、及び調理器具に関する。
【背景技術】
【０００２】
ボウ仔飯（ボウジャイファン）は土鍋飯としても知られており、広東、広西の漢民族の特有の美食であり、広東料理に属する。伝統的なボウ仔飯は、まず、米を１時間以上浸した後、土鍋に入れて適当な水量を加え、強火で米を７０％熟成したら具を加え、弱火で炊き上げて、調理が終わったらソースを加えてかき混ぜるという作り方で作られる。
【０００３】
炊飯器でボウ仔飯を作ることは、従来技術では手間がかかるという問題を解決し、多くの消費者の中で人気がある。ただし、現在の炊飯器で作られたボウ仔飯の品質は、伝統的なボウ仔飯と比べてまだ一定の差があり、主に、おこげは、サクサクの食感が強く、厚さが大きすぎるなどの点がある。
【０００４】
上記問題に対しては、有効な解決策はまだ提案されていない。
【発明の概要】
【０００５】
本発明の実施例は、関連技術における調理器具を用いて調理する食品の品質不良によるユーザーエクスペリエンスの低下という技術的課題を少なくとも解決する、調理器具の制御方法、制御装置、記憶媒体、及び調理器具を提供する。
【０００６】
本発明の実施例の一態様によれば、
調理器具が第１の特定調理段階に入ったと判定するステップと、
調理器具のＲ部を第１の所定デューティサイクルで第１の時間だけ加熱するステップと、
調理器具の底部を第１の所定デューティサイクルで第１の時間以下の第２の時間だけ加熱し、底部の温度を第１の所定温度範囲内に維持するステップと、を含む調理器具の制御方法を提供する。
【０００７】
あるいは、調理器具が第１の特定調理段階に入ったと判定する前に、方法は、調理器具が第２の特定調理段階に入ったと判定するステップをさらに含み、第２の特定調理段階では、調理器具のＲ部と調理器具の底部を第１の所定閾値以上の第２の所定デューティサイクルで加熱する。
【０００８】
あるいは、調理器具のＲ部と調理器具の底部を第２の所定デューティサイクルで加熱するステップは、
Ｒ部と底部を第２の所定デューティサイクルで間欠的に加熱するステップを含み、間欠的に加熱する過程では、２回の加熱周期の間隔時間が第２の所定閾値以下である。
【０００９】
あるいは、調理器具が第１の特定調理段階に入ったと判定するステップは、
調理器具が第２の特定調理段階に入った後に、調理器具の底部の温度が第３の所定閾値よりも大きいことが検出された場合、調理器具が第１の特定調理段階に入ったと判定するステップを含む。
【００１０】
あるいは、第１の所定温度範囲は１３５℃〜１６５℃である。
【００１１】
あるいは、第１の時間及び／又は第２の時間の値は１０分〜３０分の範囲内である。
【００１２】
あるいは、第２の所定閾値は２秒である。
【００１３】
あるいは、調理器具が第２の特定調理段階に入ったと判定するステップは、
調理器具が第３の特定調理段階に入った後に、調理器具の底部の温度が第４の所定閾値以上であることが検出された場合、調理器具が第２の特定調理段階に入ったと判定するステップを含み、第３の特定調理段階では、調理器具のＲ部と調理器具の底部を第３の所定デューティサイクルで加熱し、調理器具の底部の温度が第４の所定閾値未満である。
【００１４】
あるいは、調理器具が第２の特定調理段階に入ったと判定する前に、方法は、
調理器具が第４の特定調理段階に入った後に、調理器具の底部の温度が第５の所定閾値以上であり、かつ調理器具の頂部の温度が第６の所定閾値以上であることが検出された場合、調理器具が第３の特定調理段階に入ったと判定するステップをさらに含み、第４の特定調理段階では、調理器具の底部を第４の所定デューティサイクルで加熱し、調理器具の底部の温度が第５の所定閾値未満であるか、又は調理器具の頂部の温度が第６の所定閾値未満である。
【００１５】
あるいは、本発明の実施例の一態様によれば、
調理器具が第１の特定調理段階に入ったと判定するように構成されている判定モジュールと、
調理器具のＲ部を第１の所定デューティサイクルで第１の時間だけ加熱し、調理器具の底部を第１の所定デューティサイクルで第１の時間以下の第２の時間だけ加熱し、底部の温度を第１の所定温度範囲内に維持するように構成されている加熱モジュールと、を備える調理器具の制御装置を提供する。
【００１６】
あるいは、判定モジュールは、さらに、調理器具が第２の特定調理段階に入ったと判定するように構成されており、第２の特定調理段階では、加熱モジュールは、調理器具のＲ部と調理器具の底部を第１の所定閾値以上の第２の所定デューティサイクルで加熱するように構成されている。
【００１７】
あるいは、加熱モジュールは、さらに、Ｒ部と底部を第２の所定デューティサイクルで間欠的に加熱するように構成されており、間欠的に加熱する過程では、２回の加熱周期の間隔時間が第２の所定閾値以下である。
【００１８】
あるいは、判定モジュールは、さらに、調理器具が第２の特定調理段階に入った後に、調理器具の底部の温度が第３の所定閾値よりも大きいことが検出された場合、調理器具が第１の特定調理段階に入ったと判定するように構成されている。
【００１９】
本発明の実施例の一態様によれば、
コンピュータプログラムが記憶された記憶媒体であって、前記コンピュータプログラムは、実行されると、前記のいずれか１項に記載の方法を実行するように構成されている記憶媒体を提供する。
【００２０】
本発明の実施例の一態様によれば、
コンピュータプログラムが記憶されたメモリと、前記コンピュータプログラムを実行することで上記のいずれか１項に記載の方法を実行するように構成されているプロセッサと、を備える調理器具を提供する。
【００２１】
本発明の実施例では、調理器具が第１の特定調理段階に入ったときに、調理器具のＲ部と底部を一定のデューティサイクルで加熱し、また、Ｒ部を加熱する時間を底部を加熱する時間よりも長くし、底部の温度を第１の所定温度範囲内に維持することによって、熱が底部に過度に蓄積されないようにし、温度範囲が一定に維持されたときに、調理器具内の到達温度がより高くなり、調理器具内の食品の品質（たとえば、おこげのサクサク食感）が向上し、それにより、関連技術における調理器具を用いて調理する食品の品質不良によるユーザーエクスペリエンスの低下という技術的課題を解決する。
【００２２】
ここで説明する図面は、本発明をさらに理解するために提供されるものであり、本出願の一部を構成し、本発明の例示的な実施例及びその説明は、本発明を説明するために使用され、本発明を不当に限定するものではない。
【図面の簡単な説明】
【００２３】
【図１】本発明の実施例に係る調理器具の制御方法の流れの模式図である。
【図２】本発明の実施例に係る底部コイルとＲ部コイルの位置の模式図である。
【図３】本発明の好適な実施例に係る炊飯器によるボウ仔飯の料理の制御方法の流れの模式図である。
【図４】本発明の実施例に係る調理器具の制御装置の構造ブロック図である。
【発明を実施するための形態】
【００２４】
当業者が本発明の態様をよりよく理解できるように、以下、本発明の実施例の図面を参照しながら、本発明の実施例における技術案を明確かつ完全に説明するが、明らかに、説明されている実施例は本発明の一部の実施例に過ぎず、全ての実施例ではない。本発明の実施例に基づいて、当業者が創造的な努力を必要とせずに取得する他のすべての実施例は、本発明の特許範囲に属するものとする。
【００２５】
なお、本発明の明細書及び特許請求の範囲、並びに上記図面における用語「第１の」、「第２の」などは、類似する対象を区別するためのものであり、特定の順序又は優先順位を説明するとは限らない。このように使用されるデータは、ここで説明する本発明の実施例がここで図示又は説明されたもの以外の順序で実施され得るように、適切な場合に交換され得ることが理解されるべきである。さらに、用語「備える」、「有する」、及び、それらの任意の変形はすべて、排他的でない包含を意図し、たとえば、一連のステップ又はユニットを含むプロセス、方法、システム、製品、又は機器は、明示的に記載されたステップ又はユニットに限定されるものではなく、明示的に記載されていない、又はこれらのプロセス、方法、製品、又は機器に固有の他のステップ又はユニットを含むことができる。
【００２６】
本発明の実施例によれば、調理器具の制御方法の方法実施例を提供し、なお、図面のフローチャートに示されるステップは、コンピュータ実行可能命令のセットなどのコンピュータシステムにおいて実行することができ、また、フローチャートには論理的な順序が示されているが、場合によっては、ここでのものとは異なる順序で実行されてもよい。
【００２７】
図１は、本発明の実施例に係る調理器具の制御方法の流れの模式図であり、図１に示すように、該方法は、
調理器具が第１の特定調理段階に入ったと判定するステップＳ１０２と、
調理器具のＲ部を第１の所定デューティサイクルで第１の時間だけ加熱し、調理器具の底部を第１の所定デューティサイクルで第１の時間以下の第２の時間だけ加熱し、底部の温度を第１の所定温度範囲内に維持するステップＳ１０４と、を含む。
【００２８】
以上のステップでは、調理器具が第１の特定調理段階に入ったときに、調理器具のＲ部と底部を一定のデューティサイクルで加熱し、Ｒ部を加熱する時間を底部を加熱する時間よりも長くし、底部の温度を第１の所定温度範囲内に維持することによって、熱が底部に過度に蓄積しないようにし、温度範囲を一定に維持すると、調理器具内の到達温度がより高くなり、調理器具内の食品の品質（たとえば、おこげのサクサク食感）が向上し、それにより、関連技術における調理器具を用いて調理する食品の品質不良によるユーザーエクスペリエンスの低下という技術的課題を解決する。
【００２９】
たとえば、上記食品が米飯である場合、上記第１の特定調理段階は、おこげ焼き段階であってもよく、この段階では、上記方式によりおこげのサクサク食感を向上させることができる。
【００３０】
なお、デューティサイクルは、Ｘ：Ｙ：Ｚとして表されてもよいが、これに限定されず、Ｘ：Ｙ：Ｚのデューティサイクルで加熱することは、Ｒ部巻線をＸ秒加熱し、底部巻線をＹ秒加熱し、加熱をＸ秒停止するとされてもよく、具体的なＸ、Ｙ、Ｚの値は必要に応じて設定することができ、たとえば、調理段階によってデューティサイクルが異なる可能性があるので、調理段階ごとに、異なるＸ、Ｙ、Ｚの値を設定して、異なるデューティサイクルを実現することができる。
【００３１】
なお、上記Ｒ部の加熱はＲ部の巻線（コイル）の加熱、底部の加熱は底部巻線（コイル）の加熱とされてもよいが、これに限定されず、Ｒ部コイルと底部コイルとの位置関係は、図２に示すようにすることができ、図２は、本発明の実施例に係る底部コイルとＲ部コイルの位置の模式図である。
【００３２】
なお、上記第１の所定温度範囲は１３５℃〜１６５℃であってもよいが、これに限定されない。上記第１の時間及び／又は第２の時間の値は、１０分〜３０分の範囲であるが、これに限定されない。
【００３３】
本発明の一実施例では、上記方法は、上記ステップＳ１０２の前に、調理器具が第２の特定調理段階に入ったと判定するステップをさらに含んでもよく、第２の特定調理段階では、調理器具のＲ部と調理器具の底部を第１の所定閾値以上の第２の所定デューティサイクルで加熱する。
【００３４】
なお、調理器具のＲ部と底部を第２の所定デューティサイクルで加熱するステップは、Ｒ部と底部を第２の所定デューティサイクルで間欠的に加熱することであり、間欠的に加熱する過程では、２回の加熱周期の時間間隔が第２の所定閾値以下である。
【００３５】
なお、上記第２の所定閾値は２秒であってもよい。
【００３６】
なお、上記食品が米飯である場合、上記第２の特定調理段階は、おこげ焼きへの移行段階であってもよく、この段階では、大きなデューティサイクルで加熱し、間隔の小さな周期で加熱する方式を採用することで、米飯の底部の温度が急速に上昇し、最外層の米飯が急速に乾燥して、非常に薄いおこげ層を形成するようにする。
【００３７】
上記調理器具の制御方式によれば、調理された食品の食感を良好にすることができ、特にボウ仔飯の場合、調理されたボウ仔飯の粒状感が強く、ベタツキがないだけでなく、形成されたおこげはサクサクしていて、厚みが小さく、伝統的なボウ仔飯と同等の食感を有する。
【００３８】
本発明の一実施例では、調理器具が第１の特定調理段階に入ったと判定する際には、調理器具が第２の特定調理段階に入った後に、調理器具の底部の温度が第３の所定閾値よりも大きいことが検出された場合、調理器具が第１の特定調理段階に入ったと判定するようにしてもよい。
【００３９】
なお、上記第３の所定閾値の範囲は１３５℃〜１６５℃であってもよいが、これに限定されない。
【００４０】
なお、調理器具が第２の特定調理段階に入ったと判定する際には、調理器具が第３の特定調理段階に入った後に、調理器具の底部の温度が第４の所定閾値以上であることが検出された場合、調理器具が第２の特定調理段階に入ったと判定し、第３の特定調理段階では、調理器具のＲ部と調理器具の底部を第３の所定デューティサイクルで加熱し、調理器具の底部の温度が第４の所定閾値未満であるようにしてもよい。
【００４１】
なお、上記食品が米飯である場合、上記第３の特定調理段階は沸騰段階としてもよく、上記第４の所定閾値は１００℃〜１２０℃であってもよいが、これに限定されない。
【００４２】
なお、調理器具が第２の特定調理段階に入ったと判定する前に、上記方法は、調理器具が第４の特定調理段階に入った後に、調理器具の底部の温度が第５の所定閾値以上であり、かつ調理器具の頂部の温度が第６の所定閾値以上であることが検出された場合、調理器具が第３の特定調理段階に入ったと判定するステップをさらに含んでもよく、第４の特定調理段階では、調理器具の底部を第４の所定デューティサイクルで加熱し、調理器具の底部の温度が第５の所定閾値未満であるか、調理器具の頂部の温度が第６の所定閾値未満である。
【００４３】
なお、上記食品が米飯である場合、上記第４の特定調理段階は加熱昇温段階であってもよく、上記第５の所定閾値は８０℃〜９５℃、前記第６の所定閾値は６０℃〜７５℃であってもよいが、これに限定されない。
【００４４】
本発明の実施例をよりよく理解するために、以下、好適な実施例を参照しながら本発明をさらに説明する。
【００４５】
以下、上記調理器具が炊飯器であり、調理される食品がボウ仔飯である場合を例に説明するが、本発明の好適な実施例に係る技術案は以下の通りである。
【００４６】
（１）沸騰段階終了後、強火でおこげ焼き段階に移行する。おこげ焼き工程への移行過程（上記実施例における第２の特定調理段階に相当）では、大デューティサイクルで加熱し、巻線を継続して加熱するか、又は１加熱周期内の停止時間を２ｓ以下（上記第１の所定閾値に相当）とし、これにより、米飯の底部の温度が急速に上昇し、最外層の米飯が急速に乾燥して、非常に薄いおこげの層を形成することができる。
【００４７】
（２）おこげ焼き段階（上記第１の特定調理段階に相当）では、底部温度を［Ｋ，Ｌ］区間の範囲内に維持し、デューティサイクルをＸ：Ｙ：Ｚに維持し、ここで、ＸはＲ部の巻線加熱時間、Ｙは底部巻線の加熱時間、Ｚは加熱停止時間である。おこげ焼き維持過程では、Ｒ部の巻線作動時間（上記第１の時間に相当）を底部の巻線作動時間（上記第２の時間に相当）よりも長くする（Ｘ＞Ｙ）ことにより、熱が底部に過度に蓄積しないようにし、維持温度範囲が一定である場合、鍋内の実際到達温度がより高くなり、おこげのサクサク食感が向上する。
【００４８】
具体的には、図３は、本発明の好適な実施例に係る炊飯器によるボウ仔飯の料理の制御方法の流れの模式図であり、図３に示すように、この炊飯制御の流れは、主に加熱昇温段階、沸騰段階、焼きへの移行段階、おこげ焼き段階に分けられる。
【００４９】
調理開始後、加熱昇温段階（上記第４の特定調理段階に相当）を開始し、巻線を好ましくは９０〜１１０℃の範囲の設定温度Ｔ１まで連続的に加熱し、次に、デューティサイクルＸ１：Ｙ１：Ｚ１（上記第４の所定デューティサイクルに相当）で加熱し、底部温度を設定温度範囲［Ｔ１，Ｔ２］に維持し、Ｔ１は維持温度下限であり、好ましい範囲が９０〜１１０℃であり、Ｔ２は維持温度上限であり、好ましい範囲が９０〜１１０℃である。ＴＢ≧Ｔ３、ＴＴ≧Ｔ４を同時に満たすと、沸騰段階に入り、ＴＢは底部温度を表し、Ｔ３（上記第５の所定閾値に相当）の好ましい範囲は８０〜９５℃であり、ＴＴは頂部の温度を表し、Ｔ４（上記第６の所定閾値に相当）の好ましい範囲は６０〜７５℃である。ＴＢ＜Ｔ３又はＴＴ＜Ｔ４であると、デューティサイクルＸ１：Ｙ１：Ｚ１で、設定温度範囲［Ｔ１，Ｔ２］で加熱する。
【００５０】
沸騰段階（上記第３の特定調理段階に相当）では、デューティサイクルＸ２：Ｙ２：Ｚ２（上記第３の所定デューティサイクルに相当）で加熱し、ＴＢ≧Ｔ５を満たすと、炊飯段階１に入り、ここで、ＴＢは底部温度を表し、Ｔ５（上記第４の所定閾値に相当）の好ましい範囲は１００℃〜１２０℃であり、ＴＢ＜Ｔ５であると、デューティサイクルＸ２：Ｙ２：Ｚ２で加熱する。
【００５１】
焼きへの移行段階（上記第２の特定調理段階に相当）では、大デューティサイクルＸ３：Ｙ３：Ｚ３（上記第２の所定デューティサイクルに相当）で加熱し、ここで、Ｚ３≦２（上記第２の所定閾値に相当）であり、底部温度ＴＢ＞Ｔ６（上記第３の所定の閾値に相当）であると、こげ維持段階に入る。
【００５２】
おこげ焼き段階（上記第１の特定調理段階に相当）では、デューティサイクルＸ４：Ｙ４：Ｚ４（上記第１の所定デューティサイクルに相当）で加熱し、ここで、Ｘ４＞Ｙ４であり、温度を設定温度範囲［Ｔ６，Ｔ７］で△ｔ２維持する。ここで、Ｔ６は維持温度下限であり、好ましい範囲が１３５〜１６５℃であり、Ｔ７は維持温度上限であり、好ましい範囲が１３５〜１６５℃であり、△ｔ１の好ましい範囲は１０〜３０ｍｉｎである。おこげ焼き段階の維持時間が切れると、調理を終了する。
【００５３】
なお、（１）デューティサイクルＸ：Ｙ：Ｚで加熱するとは、Ｒ部巻線をＸ秒間加熱し、底部巻線をＹ秒間加熱し、加熱をＺ秒間停止することをいう。（２）初めて温度区間動作段階に入り、温度区間を満たしていれば、まず、温度下限による加熱を行う。（３）温度区間の説明：温度区間の上限に達すると動作を停止し、温度区間の下限を下回ると動作を開始し、上限から下限に下がる過程では動作せず、下限から上限に上がる。
【００５４】
上記方法によれば、ボウ仔飯の粒状感が強く、ベタツキがないだけでなく、パリパリとした厚さの薄いおこげが出来上がり、伝統的なボウ仔飯と同等の食感を得ることができる。米飯のおこげの品質を向上させて、その食感をサクサクして薄くし、おこげは崩壊しやすく、つながっておらず、炊飯時間を短縮させ、ユーザのエクスペリエンスを向上させる。
【００５５】
本発明の実施例は、調理器具の制御装置も提供し、図４は、本発明の実施例に係る調理器具の制御装置の構造ブロック図である。図４に示すように、該装置は、調理器具が第１の特定調理段階に入ったと判定するように構成されている判定モジュール４２と、上記決定モジュール４２に接続され、調理器具のＲ部を第１の所定デューティサイクルで第１の時間だけ加熱し、調理器具の底部を第１の所定デューティサイクルで第１の時間以下の第２の時間だけ加熱し、底部の温度を第１の所定温度範囲内に維持するように構成されている加熱モジュール４４と、を備える。
【００５６】
上記装置によれば、調理器具が第１の特定調理段階に入ったときに、調理器具のＲ部と底部を一定のデューティサイクルで加熱し、Ｒ部を加熱する時間を底部を加熱する時間よりも長くし、底部の温度を第１の所定温度範囲内に維持することによって、熱が底部に過度に蓄積しないようにし、温度範囲を一定に維持すると、調理器具内の到達温度がより高くなり、調理器具内の食品の品質（たとえばおこげのサクサク食感）が向上し、それにより、関連技術における調理器具を用いて調理する食品の品質不良によるユーザーエクスペリエンスの低下という技術的課題を解決する。
【００５７】
なお、上記第１の所定温度範囲は１３５℃〜１６５℃であってもよいが、これに限定されない。上記第１の時間及び／又は第２の時間の値の範囲は１０分〜３０分であるが、これに限定されない。
【００５８】
本発明の一実施例では、上記判定モジュール４２は、さらに、調理器具が第２の特定調理段階に調理器具が入ったと判定するように構成されてもよく、第２の特定調理段階では、加熱モジュールは、調理器具のＲ部及び調理器具の底部を第１の所定閾値以上の第２の所定デューティサイクルで加熱するように構成されてもよい。
【００５９】
なお、上記した第１の所定閾値は、実際の状況に応じて予め設定されていてもよいが、これに限定されない。
【００６０】
なお、上記加熱モジュール４４は、さらに、Ｒ部と底部を第２の所定デューティサイクルで間欠的に加熱するように構成されてもよく、間欠的に加熱する過程では、２回の加熱周期の時間間隔が第２の所定閾値以下である。
【００６１】
なお、上記第２の所定閾値は２秒であってもよい。
【００６２】
なお、上記食品が米飯である場合、上記第２の特定調理段階は、おこげ焼きへの移行段階であってもよく、この段階では、加熱モジュール４４は、大デューティサイクルで加熱し、間隔の小さな周期で加熱する方式を採用することにより、米飯の底部の温度が急速に上昇し、最外層の米飯が急速に乾燥して、非常に薄いおこげの層を形成することができる。
【００６３】
本発明の一実施例では、上記判定モジュール４２は、さらに、調理器具が第２の特定調理段階に入った後に、調理器具の底部の温度が第３の所定閾値よりも大きいことが検出された場合、調理器具が第１の特定調理段階に入ったと判定するように構成されている。
【００６４】
なお、上記第３所定閾値の範囲は１３５℃〜１６５℃であってもよいが、これに限定されない。
【００６５】
なお、上記判定モジュール４２は、さらに、調理器具が第３の特定調理段階に入った後に、調理器具の底部の温度が第４の所定閾値以上であることが検出された場合、調理器具が第２の特定調理段階に入ったと判定するように構成されてもよく、第３特定調理段階では、調理器具のＲ部と調理器具の底部を第３の所定デューティサイクルで加熱し、調理器具の底部の温度が第４の所定閾値未満である。
【００６６】
なお、上記食品が米飯である場合、上記第３の特定調理段階は沸騰段階であってもよく、上記第４の所定閾値は１００℃〜１２０℃であってもよいが、これに限定されない。
【００６７】
なお、上記判定モジュール４２は、さらに、調理器具が第４の特定調理段階に入った後に、調理器具の底部の温度が第５の所定閾値以上であり、かつ、調理器具の頂部の温度が第６の所定閾値以上であることが検出された場合、調理器具が第３の特定調理段階に入ったと判定するように構成されてもよく、第４の特定調理段階では、調理器具の底部を第４の所定デューティサイクルで加熱し、調理器具の底部の温度が第５の所定閾値未満であるか、調理器具の頂部の温度が第６の所定閾値未満である。
【００６８】
なお、上記食品が米飯である場合、上記第４の特定調理段階は加熱昇温段階であってもよく、上記第５の所定閾値は８０℃〜９５℃であってもよく、上記第６の所定閾値は６０℃〜７５℃であってもよいが、これに限定されない。
【００６９】
本発明の実施例は、コンピュータプログラムが記憶された記憶媒体であって、該コンピュータプログラムは、実行されると、上記のいずれか１項に記載の方法の実施例におけるステップを実行するように構成されている記憶媒体を提供する。
【００７０】
あるいは、本実施例では、上記記憶媒体は、以下のステップを実行するコンピュータプログラムを記憶するように構成されていてもよい。
Ｓ１、調理器具が第１の特定調理段階に入ったと判定する。
Ｓ２、調理器具のＲ部を第１の所定デューティサイクルで第１の時間だけ加熱し、調理器具の底部を第１の所定デューティサイクルで第１の時間以下の第２の時間だけ加熱し、底部の温度を第１の所定温度範囲内に維持する。
【００７１】
あるいは、記憶媒体は、以下のステップを実行するコンピュータプログラムを記憶するようにさらに構成されてもよい。
Ｓ１、調理器具のＲ部と調理器具の底部を第１の所定閾値以上の第２の所定デューティサイクルで加熱する第２の特定調理段階に入ったと判定する。
【００７２】
あるいは、本実施例では、上記記憶媒体は、ＵＳＢメモリ、読み取り専用メモリ（Ｒｅａｄ−Ｏｎｌｙ  Ｍｅｍｏｒｙ、略語ＲＯＭ）、ランダムアクセスメモリ（Ｒａｎｄｏｍ  Ａｃｃｅｓｓ  Ｍｅｍｏｒｙ、略語ＲＡＭ）、リムーバブルハードディスク、磁気ディスクや光ディスクなど、コンピュータプログラムを記憶することができる様々な媒体であってもよい。
【００７３】
本発明の実施例は、また、コンピュータプログラムが記憶されたメモリと、コンピュータプログラムを実行することで上記方法のいずれかの実施例におけるステップを実行するように構成されているプロセッサとを備える、調理器具を提供する。
【００７４】
あるいは、上記調理器具は、上記プロセッサに接続された送信装置と、上記プロセッサに接続された入出力装置とをさらに備えてもよい。
【００７５】
あるいは、本実施例では、上記プロセッサは、コンピュータプログラムによって以下のステップを実行するように構成されてもよい。
Ｓ１、調理器具が第１の特定調理段階に入ったと判定する。
Ｓ２、調理器具のＲ部を第１の所定デューティサイクルで第１の時間だけ加熱し、調理器具の底部を第１の所定デューティサイクルで第１の時間以下の第２の時間だけ加熱し、底部の温度を第１の所定温度範囲内に維持する。
【００７６】
あるいは、本実施例の具体例は、上記実施例及び好適な本実施形態に記載された例を参照することができるので、本実施例では詳しく説明しない。
【００７７】
上記本発明の実施例の番号は単なる説明であり、実施例の優劣を表すものではない。
【００７８】
本発明の上記実施例では、各実施例については重点をもって説明しており、ある実施例において詳細に説明されていない部分については、他の実施例の関連する説明を参照することができる。
【００７９】
なお、本出願に係るいくつかの実施例では、開示された技術的内容は、他の形態で実現されてもよい。上記した装置の実施例は、例示的なものに過ぎず、たとえば、前記ユニットの分割は、論理的な機能分割であってもよく、実際に実現するときに、たとえば、複数のユニット又はコンポーネントを結合したり他のシステムに集積してもよいか、いくつかの特徴を無視してもよいか、又は実行しなくてもよいなど、、別の分割方法であってもよい。また、表示又は検討されている相互結合又は直接結合又は通信接続は、いくつかのインターフェース、ユニット、又はモジュールを介した間接的な結合又は通信接続であってもよく、電気的又は他の形態であってもよい。
【００８０】
分離された構成要素として説明されたユニットは、物理的に分離されていてもよく、物理的に分離されていなくてもよく、ユニットとして表示された構成要素は、物理的なユニットであってもよく、すなわち、１箇所に配置されていてもよく、複数のユニットに分散されていてもよい。これらのユニットの一部又は全部は、本実施例の目的を達成するために、実際の必要に応じて選択されてもよい。
【００８１】
また、本発明の各実施例における各機能ユニットは、１つの処理ユニットに集積されていてもよいし、各ユニットが個別に物理的に存在していてもよいし、複数のユニットが１つのユニットに集積されていてもよい。上記集積ユニットは、ハードウェアの形態で実現されてもよいし、ソフトウェア機能ユニットの形態で実現されてもよい。
【００８２】
前記集積ユニットが、ソフトウェア機能ユニットの形態で実現され、独立した製品として販売又は使用される場合は、コンピュータ読み取り可能な記憶媒体に記憶することができる。このような知見に基づいて、本発明の技術案の主旨、又は従来技術に貢献する部分、この技術案の全部若しくは一部はソフトウェア製品の形態で具現化され得、このコンピュータソフトウェア製品は、記憶媒体に記憶され、１台のコンピュータ機器（パーソナルコンピュータ、サーバ、又はネットワーク機器などであってもよい）に、本発明の様々な実施例に記載の方法のステップの全部又は一部を実行させるためのいくつかの命令を含む。一方、前記記憶媒体は、ＵＳＢメモリ、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、リムーバブルハードディスク、磁気ディスク、光ディスクなど、プログラムコードを記憶可能な各種媒体を含む。
【００８３】
なお、以上の説明は、本発明の好適な実施例に過ぎず、当業者であれば、本発明の原理を逸脱することなく、いくつかの改良及び修正を行うこともでき、これら改良及び修正も本発明の保護範囲とみなされるべきである。
【図１】
2021522985.tif 000003
【図２】
2021522985.tif 000004
【図３】
2021522985.tif 000005
【図４】
2021522985.tif 000006
【国際調査報告】
2021522985.tif 000007
2021522985.tif 000008
2021522985.tif 000009
2021522985.tif 000010
2021522985.tif 000011